(57)【要約】【課題】搬送部材の位置を容易に確認することができる現像カートリッジを提供すること。【解決手段】  現像右壁６４は、連通口７２を有している。連通口７２は、第２縦壁８１Ｂの下方に位置している。搬送部材１７１が第１位置に位置した状態において、搬送部材１７１の掻出部１７６および突出壁１８０は、連通口７２と左右方向において重なる。これにより、連通口７２を介して搬送部材１７１の位置を外部から確認することができる。【選択図】図３
2015087666.tif 000002
【特許請求の範囲】
【請求項１】
内部に現像剤を収容し、第１方向に間隔を隔てて位置する第１側壁および第２側壁を備える筐体と、
前記筐体内において前記第１方向に関して回転可能に支持され、現像剤を撹拌するように構成される撹拌部材と、
前記第１方向と直交する第２方向において前記撹拌部材と間隔を隔てて位置し、前記撹拌部材によって撹拌された現像剤を担持するように構成されるローラ部材と、
前記撹拌部材によって撹拌される現像剤を前記ローラ部材に搬送するように構成される搬送部材と、を備え、
前記第１側壁は、前記第１方向に投影したときに、前記撹拌部材の回転軌跡の外方に位置し、前記筐体の内部と外部とを連通する連通口を有し、
前記搬送部材は、前記ローラ部材に近接する第１位置と、前記第１位置よりも前記ローラ部材から離間する第２位置とに移動可能であり、
前記第１方向に投影したときに、前記搬送部材が前記第１位置から前記第２位置まで移動する領域と、前記連通口とが重なることを特徴とする、現像カートリッジ。
【請求項２】
前記搬送部材は、前記第１方向において、前記第１位置に位置するときに前記連通口と重なることを特徴とする、請求項１に記載の現像カートリッジ。
【請求項３】
前記第１側壁は、前記連通口と異なる位置に位置し、前記筐体に現像剤を充填するための充填口を有していることを特徴とする、請求項１または２に記載の現像カートリッジ。
【請求項４】
前記連通口は、挿入部材が挿入可能に構成されており、前記挿入部材が挿入されることにより閉鎖されるように構成されることを特徴とする、請求項１ないし３のいずれか一項に記載の現像カートリッジ。
【請求項５】
前記第１方向において前記第１側壁の外方に位置し、前記ローラ部材に接続される電極部材をさらに備え、
前記挿入部材は、前記電極部材を前記第１側壁に固定するように構成される固定部材であることを特徴とする、請求項４に記載の現像カートリッジ。
【請求項６】
前記筐体は、
前記第１側壁および前記第２側壁を備える第１フレームと、
前記第１フレームに装着される第２フレームとを備え、
前記第２フレームは、前記搬送部材を前記第１位置に位置決めする位置決め部を備え、
前記位置決め部は、前記第１方向に投影したときに、前記連通口と重なることを特徴とする、請求項１ないし５のいずれか一項に記載の現像カートリッジ。
【請求項７】
前記搬送部材は、
前記第１方向に関して回転可能であり、
前記連通口は、前記第１方向に投影したときに、前記位置決め部と前記搬送部材の回転軸線との間に位置することを特徴とする、請求項６に記載の現像カートリッジ。
【発明の詳細な説明】
【技術分野】
【０００１】
本発明は、電子写真方式が採用される画像形成装置に装着される現像カートリッジに関する。
【背景技術】
【０００２】
電子写真方式が採用される画像形成装置に装着される現像カートリッジとして、現像ローラと、トナーを収容する収容室とを備える現像カートリッジが装着される画像形成装置が知られている。画像形成動作中は、現像カートリッジにおいて、収容室内のトナーが現像ローラに搬送される。これにより、現像ローラの外周面には、トナーが適切に担持される。
【０００３】
このような現像カートリッジとして、筐体内において、現像ローラと、トナーを収容するトナーホッパーと、トナーホッパー内に回転可能に支持されるパドルと、パドルと現像ローラとの間において回転可能に支持される撹拌部材の一例としてのアジテータとを備えるトナーカートリッジが知られている。アジテータは、パドルと係合するように構成されており、パドルの回転に伴って回転する。トナーカートリッジ内においては、パドルの回転によってトナーホッパー内のトナーが撹拌されるとともに、パドルおよびアジテータの回転により、トナーが現像ローラに向けて搬送される（例えば、特許文献１参照）。
【先行技術文献】
【特許文献】
【０００４】
【特許文献１】特開平１０−１９８１５１号公報
【発明の概要】
【発明が解決しようとする課題】
【０００５】
しかるに、上記特許文献１に記載のトナーカートリッジでは、トナーカートリッジにトナーを充填する際に、パドルおよびアジテータが妨げとなるという不具合がある。例えば、トナーカートリッジを使用してトナーが無くなった場合には、トナーカートリッジを回収してトナーを再充填する。この場合、パドルおよびアジテータがトナーカートリッジ内のどこに位置しているかを外部から確認することができない。そのため、アジテータが、トナーホッパーから現像ローラに向かう流路を塞いでいるような場合には、そのままトナーを充填させると、トナーカートリッジ内に十分な量のトナーを充填させることができない。
【０００６】
そこで、本発明の目的は、搬送部材の位置を容易に確認することができる現像カートリッジを提供することにある。
【課題を解決するための手段】
【０００７】
（１）上記目的を達成するために、本発明の現像カートリッジは、内部に現像剤を収容し、第１方向に間隔を隔てて位置する第１側壁および第２側壁を備える筐体と、筐体内において第１方向に関して回転可能に支持され、現像剤を撹拌するように構成される撹拌部材と、第１方向と直交する第２方向において撹拌部材と間隔を隔てて位置し、撹拌部材によって撹拌された現像剤を担持するように構成されるローラ部材と、撹拌部材によって撹拌される現像剤をローラ部材に搬送するように構成される搬送部材と、を備える。第１側壁は、第１方向に投影したときに、撹拌部材の回転軌跡の外方に位置し、筐体の内部と外部とを連通する連通口を有する。搬送部材は、ローラ部材に近接する第１位置と、第１位置よりもローラ部材から離間する第２位置とに移動可能である。第１方向に投影したときに、搬送部材が第１位置から第２位置まで移動する領域と、連通口とが重なる。
【０００８】
このような構成によれば、第１側壁は、連通口を有する。第１方向において、搬送部材が第１位置から第２位置まで移動する領域と連通口とが重なる。
【０００９】
そのため、第１方向から、連通口を介して搬送部材の位置を外部から確認することができる。
【００１０】
その結果、搬送部材の位置を容易に確認することができる。
【００１１】
また、連通口から筐体内の空気を抜くことができ、筐体内に現像剤を多く収容できる。
（２）また、搬送部材は、第１方向において、第１位置に位置するときに連通口と重なってもよい。
【００１２】
このような構成によれば、第１方向から、連通口を介して搬送部材が第１位置に位置していることを確認することができる。
（３）また、第１側壁は、連通口と異なる位置に位置し、筐体に現像剤を充填するための充填口を有してもよい。
【００１３】
このような構成によれば、第１側壁は、連通口および充填口を有する。
【００１４】
そのため、充填口から充填された現像剤が第２側壁側に貯留されると、筐体内の空気は第１側壁に向かい、連通口から抜ける。
【００１５】
その結果、現像剤を充填するときに、筐体内に充填された現像剤が空気とともに連通口から洩れることを抑制できる。
（４）また、連通口は、挿入部材が挿入可能に構成されており、挿入部材が挿入されることにより閉鎖されるように構成されてもよい。
【００１６】
このような構成によれば、挿入部材を連通口に挿入しない状態において、連通口を介して現像カートリッジの内部を確認することができる。その後、挿入部材を連通口に挿入することで、連通口を確実に閉鎖できる。
（５）また、第１方向において第１側壁の外方に位置し、ローラ部材に接続される電極部材をさらに備えてもよい。挿入部材は、電極部材を第１側壁に固定するように構成される固定部材であってもよい。
【００１７】
このような構成によれば、固定部材によって電極部材を固定できる。
【００１８】
そのため、部品点数を減らして、現像カートリッジの小型化を実現できる。
（６）また、筐体は、第１側壁および第２側壁を備える第１フレームと、第１フレームに装着される第２フレームとを備えてもよい。第２フレームは、搬送部材を第１位置に位置決めする位置決め部を備えてもよい。位置決め部は、第１方向に投影したときに、連通口と重なってもよい。
【００１９】
このような構成によれば、第２フレームは、位置決め部を備える。
【００２０】
そのため、位置決め部により、搬送部材を第１位置に確実に位置させることができる。
【００２１】
また、第２フレームの位置決め部は、第１方向に投影したときに、連通口と重なる。
【００２２】
そのため、第１方向から、連通口を介して位置決め部を外部から確認することができる。
【００２３】
その結果、第１フレームに対して第２フレームが適切に装着されていることを容易に確認できる。
（７）また、搬送部材は、第１方向に関して回転可能であり、連通口は、第１方向に投影したときに、位置決め部と搬送部材の回転軸線との間に位置してもよい。
【００２４】
このような構成によれば、連通口は、位置決め部と搬送部材の回転軸線との間に位置する。
【００２５】
そのため、連通口を搬送部材の回転軸線の周辺に位置させることができる。
【００２６】
その結果、連通口を介して搬送部材の位置を一層容易に確認することができる。
【発明の効果】
【００２７】
本発明の画像形成装置では、搬送部材の位置を容易に確認することができる。
【図面の簡単な説明】
【００２８】
【図１】図１は、本発明の現像カートリッジの一実施形態を示す平面図である。
【図２】図２は、図１に示す現像カートリッジの側面図である。
【図３】図３は、図１に示す現像カートリッジのＡ−Ａ断面図である。
【図４】図４は、図１に示す現像カートリッジを装着したプリンタの側断面図である。
【図５】図５は、図２に示す現像カートリッジのＢ−Ｂ断面図である。
【図６】図６は、図１に示す現像カートリッジの分解斜視図である。
【図７】図７Ａは、図１に示す現像カートリッジのＣ−Ｃ断面図であって、搬送部材が第１位置にある状態を示す断面図である。図７Ｂは、図１に示す現像カートリッジのＣ−Ｃ断面図であって、搬送部材が第１位置から第２位置に移動する初期の状態を示す断面図である。
【図８】図８Ａは、図１に示す現像カートリッジのＣ−Ｃ断面図であって、搬送部材が第１位置から第２位置に移動する中期の状態を示す断面図である。図８Ｂは、図１に示す現像カートリッジのＣ−Ｃ断面図であって、搬送部材が第２位置にある状態を示す断面図である。
【図９】図９は、図１に示す現像カートリッジにおいて、搬送部材が第２位置にある状態を示す側面図である。
【発明を実施するための形態】
【００２９】
１．現像カートリッジの概略
現像カートリッジ１は、図１、図２および図３に示すように、筐体２と、アジテータ３と、供給ローラ４と、ローラ部材の一例としての現像ローラ５と、層厚規制ブレード６とを備えている。
【００３０】
なお、以下の説明において、現像カートリッジ１の方向に言及するときには、現像ローラ５が配置されている方を、現像カートリッジ１の後方とし、その反対を現像カートリッジ１の前方とする。すなわち、図１の紙面上方が現像カートリッジ１の後方であり、紙面下方が現像カートリッジ１の前方である。また、図１の紙面手前が現像カートリッジ１の上方であり、紙面奥が現像カートリッジ１の下方である。また、現像カートリッジ１を前方から見たときを左右の基準とする。すなわち、図１の紙面右方が現像カートリッジ１の右方であり、紙面左方が現像カートリッジ１の左方である。なお、具体的には、各図において方向を矢印にて示す。また、左右方向は第１方向の一例であり、前後方向は第２方向の一例であり、上下方向は第３方向の一例である。
【００３１】
筐体２は、左右方向に延びる略ボックス状であり、現像剤の一例としてのトナーを収容している。また、筐体２の後端部は、前後方向に開放されている。
【００３２】
アジテータ３は、筐体２内の前方部分に配置されている。
【００３３】
供給ローラ４は、筐体２内において、アジテータ３の後下方に配置されている。供給ローラ４は、筐体２に回転可能に支持されている。
【００３４】
現像ローラ５は、供給ローラ４の後上方に配置され、筐体２の後端部に配置されている。現像ローラ５の前下端部は、供給ローラ４の後上端部と圧接している。また、現像ローラ５の上方部分および後方部分は、筐体２から露出している。そして、現像ローラ５は、筐体２に回転可能に支持されている。
【００３５】
層厚規制ブレード６は、現像ローラ５の前上方に配置されている。層厚規制ブレード６の下端部は、現像ローラ５の前端部に接触している。
２．現像カートリッジの使用態様
図４に示すように、現像カートリッジ１は、プリンタ１０に装備される。プリンタ１０は、電子写真方式のモノクロプリンタである。プリンタ１０は、装置本体２０と、プロセスカートリッジ１１と、スキャナユニット１２と、定着ユニット１３とを備えている。なお、プリンタ１０の方向について言及する場合には、プリンタ１０を水平方向に載置した状態を基準とし、具体的には、図４中の矢印方向を基準とする。
【００３６】
装置本体２０は、略ボックス形状を有している。装置本体２０は、開口部３０と、トップカバー７と、給紙トレイ８と、排紙トレイ９とを有している。
【００３７】
開口部３０は、装置本体２０の前上端部に配置されている。開口部３０は、プロセスカートリッジ１１の通過を許容するように、装置本体２０の内外を前上方と後下方とを結ぶ方向に連通している。
【００３８】
トップカバー７は、装置本体２０の上端部に配置されている。トップカバー７は、前後方向に延びる略平板形状を有している。トップカバー７は、その後端部を支点として装置本体２０の後壁の上端部に揺動可能に支持されている。トップカバー７は、開口部３０を開放または閉鎖する。
【００３９】
給紙トレイ８は、装置本体２０の底部に配置されている。給紙トレイ８は、用紙Ｐが載置されるように構成されている。
【００４０】
排紙トレイ９は、装置本体２０の上壁の後半分に配置されている。排紙トレイ９は、用紙Ｐが載置されるように、装置本体２０の上面から下方へ凹んでいる。
【００４１】
プロセスカートリッジ１１は、装置本体２０の上下方向略中央に配置されている。プロセスカートリッジ１１は、開口部３０を介して装置本体２０に対して装着または離脱するように構成されている。プロセスカートリッジ１１は、ドラムカートリッジ１４と、現像カートリッジ１とを備えている。
【００４２】
プロセスカートリッジ１１は、ドラムカートリッジ１４と、上記の現像カートリッジ１とを備えている。
【００４３】
ドラムカートリッジ１４は、感光ドラム１６と、転写ローラ１７と、スコロトロン型帯電器１８とを備えている。
【００４４】
感光ドラム１６は、ドラムカートリッジ１４の後方部分において、回転可能に支持されている。
【００４５】
転写ローラ１７は、感光ドラム１６に対して後方に位置しており、ドラムカートリッジ１４の後方部分において、回転可能に支持されている。転写ローラ１７の前上端部は、感光ドラム１６の後下端部に圧接している。
【００４６】
スコロトロン型帯電器１８は、感光ドラム１６の前上方に間隔を隔てて位置している。
【００４７】
現像カートリッジ１は、ドラムカートリッジ１４に対して着脱可能に装着されている。これによって現像カートリッジ１は、筐体２に対して着脱可能に装着されている。現像カートリッジ１は、ドラムカートリッジ１４に対して装着された状態において、感光ドラム１６の前下方に位置している。現像カートリッジ１の現像ローラ５の後上端部は、感光ドラム１６の前下端部に接触している。
【００４８】
スキャナユニット１２は、装置本体２０の前端部内において、プロセスカートリッジ１１の前方に配置されている。スキャナユニット１２は、感光ドラム１６に向けて画像データに基づくレーザービームＬを出射するように構成されている。
【００４９】
定着ユニット１３は、プロセスカートリッジ１１の上方に配置されている。定着ユニット１３は、加熱ローラ２６と、加熱ローラ２６の後上端部に圧接される加圧ローラ２７とを備えている。
【００５０】
プリンタ１０が画像形成動作を開始すると、スコロトロン型帯電器１８は、感光ドラム１６の表面を一様に帯電する。スキャナユニット１２は、感光ドラム１６の表面を露光する。これにより、画像データに基づく静電潜像が、感光ドラム１６の表面に形成される。
【００５１】
また、現像カートリッジ１内のトナーは、供給ローラ４と現像ローラ５との間で正極性に摩擦帯電され、現像ローラ５に担持される。層厚規制ブレード６は、現像ローラ５に担持されたトナーの層厚を一定厚さに規制する。
【００５２】
そして、現像ローラ５に担持されたトナーは、感光ドラム１６表面の静電潜像に供給される。これにより、トナー像が、感光ドラム１６の表面に担持される。
【００５３】
用紙Ｐは、給紙トレイ８から、各種ローラの回転により、所定のタイミングで１枚ずつ、感光ドラム１６と転写ローラ１７との間に給紙される。感光ドラム１６の表面のトナー像は、用紙Ｐが感光ドラム１６と転写ローラ１７との間を通過するときに、用紙Ｐに転写される。
【００５４】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ９に排紙される。
【００５５】
このように用紙Ｐは、プリンタ１０の画像形成動作において、給紙トレイ８から排紙トレイ９へ、側面視略Ｃ字状の搬送経路を搬送される。
３．現像カートリッジの詳細
図１、図３および図５に示すように、現像カートリッジ１の筐体２は、ポリスチレンなどの樹脂からなり、第１フレーム６１と、第２フレーム６２とを備えている。
（１）第１フレーム
第１フレーム６１は、現像カートリッジ１の下方部分を構成している。第１フレーム６１は、第１側壁の一例としての現像左壁６３と、第２側壁の一例としての現像右壁６４と、現像前壁６５と、現像底壁６６とを一体的に備えている。
【００５６】
現像左壁６３は、第１フレーム６１の左端部に位置している。現像左壁６３は、側面視略矩形の板形状を有している。
【００５７】
図３および図６に示すように、現像右壁６４は、第１フレーム６１の右端部に位置しており、現像左壁６３に対して右方に間隔を隔てて位置している。また、現像右壁６４は、現像左壁６３と同様に、側面視略矩形の板形状を有している。現像右壁６４は、トナー充填口７１と、連通口７２と、筒部７３と、係合部７４とを備えている。
【００５８】
トナー充填口７１は、現像右壁６４の前方半分において、現像右壁６４を左右方向に貫通している。トナー充填口７１は、側面視略円形状を有している。
【００５９】
連通口７２は、現像右壁６４の前後方向略中央部、かつ、上下方向略中央部に位置している。連通口７２は、現像右壁６４を左右方向に貫通している。連通口７２は、側面視略円形状を有しており、トナー充填口７１の直径よりも小さい直径を有している。連通口７２は、側面視において、トナー充填口７１の後上方に間隔を隔てて位置している。
【００６０】
図６に示すように、筒部７３は、現像右壁６４の前方半分において、現像右壁６４の右端面から右方に向かって突出している。筒部７３は、左右方向に延びる略円筒形状を有しており、トナー充填口７１の直径と略同一の直径を有している。筒部７３は、左右方向において、トナー充填口７１と重なっている。トナー充填口７１と、筒部７３の内面とは面一である。筒部７３には、筒部７３の右端部を塞ぐように、キャップ７９が取り付けられている。
【００６１】
係合部７４は、現像右壁６４の前後方向略中央部、かつ、上下方向略中央部に位置している。係合部７４は、現像右壁６４の右端面から右方に向かって突出している。係合部７４は、左右方向に延びる略円筒形状を有しており、連通口７２の直径と略同一の直径を有している。係合部７４の内周面は、ねじ山を有している。係合部７４は、左右方向において、連通口７２と重なっている。連通口７２と、係合部７４の内面とは面一である。
【００６２】
図３および図６に示すように、現像前壁６５は、第１フレーム６１の前端部に位置しており、現像左壁６３および現像右壁６４の前端部間に架設されている。現像前壁６５は、左右方向に延びる正面視略矩形の板形状を有している。現像前壁６５は、１対の現像把持部６０を備えている。
【００６３】
１対の現像把持部６０のそれぞれは、現像前壁６５の左右方向両端部から前上方に向かって突出している。
【００６４】
現像底壁６６は、第１フレーム６１の下端部に位置しており、現像左壁６３および現像右壁６４の下端部間に架設されている。また、現像底壁６６の前端部は、現像前壁６５の下端部に連続している。現像底壁６６は、湾曲部６７と、円弧部６８と、リップ部６９とを一体的に備えている。
【００６５】
湾曲部６７は、現像底壁６６の前方部分に位置している。湾曲部６７は、現像前壁６５の下端部から連続して後方に向かって延び、かつ、下方に向かって湾曲している。
【００６６】
円弧部６８は、湾曲部６７の後方に隣接するように位置している。円弧部６８は、上方に向かって開放される側面視略半円弧形状を有している。円弧部６８の前端部は、湾曲部６７の後端部に接続している。円弧部６８と湾曲部６７との連続部分が連続部分７０である。
【００６７】
リップ部６９は、円弧部６８の後方に隣接するように位置しており、円弧部６８の後端部から連続して後方に向かって延びている。
（２）第２フレーム
図１、図３および図６に示すように、第２フレーム６２は、第１フレーム６１を上方から被覆している。第２フレーム６２は、左右方向に延びる平面視略矩形の板状である。第２フレーム６２は、前上壁７５と、後上壁７６とを一体的に備えている。
【００６８】
前上壁７５は、第２フレーム６２の前方部分であって、突出部７７と、鍔部７８とを有している。
【００６９】
突出部７７は、鍔部７８から上方に向かって突出する平面視略矩形の上方が閉鎖される角筒形状を有している。換言すれば、突出部７７は、左右方向に延び、下方に向かって開放される略ボックス形状を有している。
【００７０】
鍔部７８は、平面視において、突出部７７を囲むように、突出部７７に対して左右両方および前方に配置されている。鍔部７８は、後方に向かって開放される平面視略コ字状を有している。鍔部７８の右方部分の左端部は、突出部７７の右下端部に連続している。鍔部７８の左方部分の右端部は、突出部７７の左下端部に接続されている。
【００７１】
後上壁７６は、第２フレーム６２の後方部分であって、平板部８０と、３個の縦壁８１とを備えている。
【００７２】
平板部８０は、突出部７７の後下端部、および、鍔部７８の左右方向両端部の後端部から連続して後方に向かって延びている。また、平板部８０は、左右方向に延びる平面視略矩形の板形状を有している。
【００７３】
３個の縦壁８１は、第１縦壁８１Ａと、位置決め部の一例としての第２縦壁８１Ｂと、第３縦壁８１Ｃとを備えている。
【００７４】
第１縦壁８１Ａは、平板部８０の下面から下方に向かって突出している。第１縦壁８１Ａは、左右方向に延びており、正面視略矩形の板形状を有している。第１縦壁８１Ａの上端は、平板部８０の前端部に連結している。
【００７５】
第２縦壁８１Ｂは、平板部８０の下面から下方に向かって突出している。第２縦壁８１Ｂは、左右方向に延びており、正面視略矩形の板形状を有している。第２縦壁８１Ｂの上端は、平板部８０の前後方向の中央部に連結している。第２縦壁８１Ｂは、第１縦壁８１Ａの後方に間隔を隔てて位置している。第２縦壁８１Ｂの下端は、第１縦壁８１Ａおよび後述する第３縦壁８１Ｃの下端よりも下方に位置している。側面視において、第２縦壁８１Ｂの下端は、連通口７２とわずかに重なっている。
【００７６】
第３縦壁８１Ｃは、平板部８０の下面から下方に向かって突出している。第３縦壁８１Ｃは、左右方向に延びており、正面視略矩形の板形状を有している。第３縦壁８１Ｃの上端は、平板部８０の後端部に連続連結している。第３縦壁８１Ｃは、第２縦壁８１Ｂの後方に間隔を隔てて位置している。
【００７７】
そして、図３に示すように、第２フレーム６２の鍔部７８の左右方向両端部と平板部８０の左右方向両端部とが、第１フレーム６１の現像左壁６３の上端部と現像右壁６４の上端部とに溶着され、第２フレーム６２の鍔部７８の前端部が、第１フレーム６１の現像前壁６５の上端部に溶着されることで、第２フレーム６２と第１フレーム６１とが組み合わされて、現像カートリッジ１の筐体２が構成される。
（３）現像室およびトナー収容室
現像カートリッジ１内において、連続部分７０と第２縦壁８１Ｂの下端部とを結ぶ仮想線分Ｖよりも後方の空間が現像室９０として画定され、仮想線分Ｖよりも前方の空間がトナー収容室９１として画定される。
【００７８】
詳しくは、現像左壁６３の後方部分と、現像右壁６４の後方部分と、後上壁７６の後方部分と、現像底壁６６の円弧部６８およびリップ部６９と、第２縦壁８１Ｂとにより現像室９０が画定されている。
【００７９】
また、現像左壁６３の前方部分と、現像右壁６４の前方部分と、後上壁７６の前方部分と、前上壁７５と、現像底壁６６の湾曲部６７と、第２縦壁８１Ｂとにより収容部の一例としてのトナー収容室９１が画定されている。トナー収容室９１は、内部にトナーを収容している。現像室９０とトナー収容室９１とは前後方向に連通している。
（４）現像ローラおよび供給ローラ
図３に示すように、現像ローラ５は、現像室９０の後端部に位置しており、リップ部６９の上方に間隔を隔てて位置している。現像ローラ５は、現像ローラ軸５Ａと、ゴムローラ５Ｂとを備えている。
【００８０】
現像ローラ軸５Ａは、左右方向に延びる略円柱形状を有している。現像ローラ軸５Ａの左端部は、現像左壁６３に回転可能に支持され、現像ローラ軸５Ａの右端部は、現像右壁６４に回転可能に支持されている。現像ローラ軸５Ａの右端部は、現像右壁６４から右方に突出している。
【００８１】
ゴムローラ５Ｂは、略円筒形状を有し、現像ローラ軸５Ａの左右両端部を露出させるように、現像ローラ軸５Ａを被覆している。
【００８２】
供給ローラ４は、現像室９０において、現像ローラ５に対して、前方かつ下方に配置されており、円弧部６８内に収容されている。供給ローラ４は、供給ローラ軸４Ａと、スポンジローラ４Ｂとを備えている。
【００８３】
供給ローラ軸４Ａは、左右方向に延びる略円柱形状を有している。供給ローラ軸４Ａの左端部は、現像左壁６３に回転可能に支持され、供給ローラ軸４Ａの右端部は、現像右壁６４に回転可能に支持されている。供給ローラ軸４Ａの右端部は、現像右壁６４から右方に突出している。
【００８４】
スポンジローラ４Ｂは、略円筒形状を有し、供給ローラ軸４Ａの左右両端部を露出させるように、供給ローラ軸Ａを被覆している。
（５）電極部材
図１および図６に示すように、現像右壁６４の右面には、電極部材９５が組み付けられている。
【００８５】
電極部材９５は、図示しない電源から電力が供給されることにより、供給ローラ４に供給バイアスを印加し、現像ローラ５に現像バイアスを印加するように構成されている。
【００８６】
電極部材９５は、左右方向に厚みを有する厚板状を有している。電極部材９５は、側面視略Ｌ字状であり、具体的には、左右方向に投影したときに、現像右壁６４における筒部７３よりも後方部分と重なる第１部分９７と、現像右壁６４における筒部７３よりも上方部分と重なる第２部分９８とを備えている。
【００８７】
第１部分９７は、上下方向に延び、その後下端部が後方に向かって膨出する側面視略矩形状を有している。
【００８８】
第２部分９８は、第１部分９７の前上端部から連続して前方に向かって延びる側面視略矩形状を有している。
【００８９】
また、電極部材９５は、供給ローラ軸受入部１００と、現像ローラ軸被覆部１０１と、係合穴１０２とを備えている。
【００９０】
供給ローラ軸受入部１００は、第１部分９７の前下端部に配置されている。供給ローラ軸受入部１００は、第１部分９７から右方に向かって突出し、その右端部が閉鎖される略円筒形状を有している。供給ローラ軸受入部１００の内径は、供給ローラ軸４Ａの直径と略同じである。
【００９１】
現像ローラ軸被覆部１０１は、第１部分９７の後方部分であって、供給ローラ軸受入部１００の後上方に配置されている。現像ローラ軸被覆部１０１は、第１部分９７から右方に向かって突出する略円筒形状を有している。現像ローラ軸被覆部１０１の内径は、現像ローラ軸５Ａの直径と略同じである。
【００９２】
係合穴１０２は、第１部分９７の前上端部であって、供給ローラ軸受入部１００の上方、かつ、現像ローラ軸被覆部１０１の前方に配置されている。係合穴１０２は、第１部分９７を側面視略円形状に貫通している。係合穴１０２の内径は、係合部７４の外径と略同じである。
【００９３】
そして、電極部材９５は、供給ローラ軸受入部１００が供給ローラ軸４Ａを受け入れ、現像ローラ軸被覆部１０１が現像ローラ軸５Ａを受け入れ、係合穴１０２が係合部７４を受け入れ、さらに、係合穴１０２を介して、係合部７４に対して挿入部材の一例としてのねじ部材１０５が螺合されている。これにより、電極部材９５が、現像右壁６４に対して固定されている。
（６）アジテータ
図５および図７Ａに示すように、現像カートリッジ１は、アジテータ３と搬送ユニット１７０とを備えている。
【００９４】
アジテータ３は、トナー収容室９１において第１フレーム６１の突出部７７の下方に位置している。アジテータ３は、アジテータ軸１３３と、撹拌羽根１３４とを備えている。
【００９５】
アジテータ軸１３３は、軸本体１３６と、１対の回転軸１３７と、カム１３８とを一体的に備えている。
【００９６】
軸本体１３６は、断面略矩形を有しており、左右方向に延びている。
【００９７】
１対の回転軸１３７は、軸本体１３６の左右両端部に位置している。１対の回転軸１３７のそれぞれは、左右方向に延びる略円柱形状を有しており、軸本体１３６の左右方向端面から、左右方向外方に向かって突出している。左方の回転軸１３７は、現像左壁６３の前端部に回転可能に支持され、右方の回転軸１３７が現像右壁６４の後端部に回転可能に支持されている。これにより、１対の回転軸１３７は、中心軸線Ａ１を中心として回動可能である。これによって、アジテータ３は、回転方向Ｒに回転する。なお、回転方向Ｒは、右側面視反時計回り方向である。
【００９８】
カム１３８は、軸本体１３６の左方に隣接されており、左方の回転軸１３７の右端部に配置されている。カム１３８は、側面視略円形の板状を有しており、左方の回転軸１３７の周面から、回転軸１３７の径方向外方に向かって広がっている。そのため、カム１３８の回転中心は、回転軸１３７の中心軸線Ａ１と一致している。
【００９９】
カム１３８は、大径部分１４０と、小径部分１４１と、漸減部分１４２とを有している。
【０１００】
大径部分１４０は、カム１３８における中心角が略９０°の部分であり、側面視略扇状を有している。なお、大径部分１４０の曲率半径は、大径部分１４０の周方向全体にわたって一定である。
【０１０１】
小径部分１４１は、大径部分１４０に対して、回転方向Ｒの上流に隣接配置されている。小径部分１４１は、カム１３８における中心角が略６０°の部分であり、側面視略扇状を有している。また、小径部分１４１の曲率半径は、大径部分１４０の曲率半径よりも小さく、小径部分１４１の周方向全体にわたって一定である。
【０１０２】
漸減部分１４２は、小径部分１４１に対して、回転方向Ｒの上流に隣接配置されており、漸減部分１４２の回転方向Ｒの上流端部は、大径部分１４０の回転方向Ｒの下流端部に連続している。漸減部分１４２は、カム１３８における中心角が略２１０°の部分であり、側面視略半円形状を有している。漸減部分１４２の曲率半径は、回転方向Ｒの上流に向かうにつれて徐々に小さくなる。また、漸減部分１４２における回転方向Ｒの下流端部の曲率半径は、大径部分１４０の曲率半径よりも小さく、小径部分１４１の曲率半径よりも大きい。また、漸減部分１４２における回転方向Ｒの上流端部の曲率半径は、小径部分１４１の曲率半径と略同じである。
【０１０３】
また、カム１３８の周面は、当接面１５０と、摺擦面１５１と、第１切欠面１５２と、第２切欠面１５３と、第３切欠面１５４と、第１部分の一例としての漸減面１５５とを有している。
【０１０４】
当接面１５０は、大径部分１４０の回転方向Ｒの下流端面であって、カム１３８の径方向に延びている。摺擦面１５１は、大径部分１４０の径方向外方端面であって、当接面１５０の径方向外方端部から連続して、回転方向Ｒの上流に向かって延びている。つまり、摺擦面１５１は、当接面１５０に対して回転方向Ｒの上流に配置されている。
【０１０５】
第１切欠面１５２は、大径部分１４０における回転方向Ｒの上流端面であって、摺擦面１５１の回転方向Ｒの上流端部から連続して、カム１３８の径方向内方に向かって延びている。第２切欠面１５３は、小径部分１４１の径方向外方端面であって、第１切欠面１５２の径方向内方端部から連続して、回転方向Ｒの上流に向かって延びている。第３切欠面１５４は、漸減部分１４２の回転方向Ｒの下流端面であって、第２切欠面１５３の回転方向Ｒの上流端部から連続して、カム１３８の径方向外方に向かって延びている。
【０１０６】
漸減面１５５は、漸減部分１４２の径方向外方端面であって、第３切欠面１５４の径方向外方端部から連続して、回転方向Ｒの上流に向かって延びている。漸減面１５５の回転方向Ｒの上流端部は、当接面１５０の径方向内方端部に接続されている。
【０１０７】
第３切欠面１５４と漸減面１５５との連続部分は、側面視略円弧形状に面取りされている。
【０１０８】
漸減面１５５は、中心軸線Ａ１を中心とする略円弧形状であり、漸減面１５５の曲率半径は、回転方向Ｒの上流に向かうにつれて小さくなる。つまり、漸減面１５５は、回転方向Ｒの上流に向かうにつれて、アジテータ３の中心軸線Ａ１に近づく。
【０１０９】
撹拌羽根１３４は、ポリエチレンテレフタレート（ＰＥＴ）などの可撓性を有するフィルム材料からなる。撹拌羽根１３４は、左右方向に延びる略矩形状を有している。すなわち、撹拌羽根１３４は左右方向に長く、左右方向と直交する方向に短い略矩形状を有している。撹拌羽根１３４の左右方向寸法は、軸本体１３６の左右方向寸法と略同じである。撹拌羽根１３４の短手方向の一端部は、軸本体１３６の外周面に支持されている。換言すれば、撹拌羽根１３４は、軸本体１３６から径方向外方に向かって突出している。図３に示すように、撹拌羽根１３４の先端は、アジテータ３が回転することにより、側面視略円形状の回転軌跡Ｔ上を通過する。
（７）搬送ユニット
図５および図７Ａに示すように、搬送ユニット１７０は、現像室９０とトナー収容室９１との境界に位置している。搬送ユニット１７０は、搬送部材１７１と、フィルム部材１７２とを備えている。
【０１１０】
搬送部材１７１は、揺動軸１７３と、搬送部１７４と、カム接触部１７５と、掻出部１７６とを一体的に備えている。
【０１１１】
揺動軸１７３は、左右方向に延びる略円柱形状を有している。揺動軸１７３の左端部は、現像左壁６３の中央部に回転可能に支持され、揺動軸１７３の右端部は、現像右壁６４の中央部に回転可能に支持されている。これにより、揺動軸１７３は、中心軸線Ａ２を中心として回動可能である。
【０１１２】
搬送部１７４は、左右方向に延びる略矩形の板状であり、揺動軸１７３の周面から連続して、揺動軸１７３の径方向外方に向かって突出している。
【０１１３】
カム接触部１７５は、揺動軸１７３の左端部に位置している。カム接触部１７５は、揺動軸１７３から、径方向外方に向かって突出している。カム接触部１７５の先端部は、アジテータ３のカム１３８と当接している。
【０１１４】
掻出部１７６は、左右方向に延びる略矩形の板状であって、揺動軸１７３の周面から連続して、揺動軸１７３の径方向外方に向かって突出している。掻出部１７６と搬送部１７４とは、揺動軸１７３において互いに異なる部分から、揺動軸１７３の径方向の外方の異なる方向に向かって延びている。掻出部１７６と搬送部１７４とは、側面視において鈍角のＶ字形状を有している。掻出部１７６は、突出壁１８０を備えている。
【０１１５】
突出壁１８０は、掻出部１７６の右方部分の端面であって、第２縦壁８１Ｂと向かい合う端面に位置している。突出壁１８０は、掻出部１７６と一体的に形成されており、掻出部１７６から第２縦壁８１Ｂ側に向かって突出している。
【０１１６】
フィルム部材１７２は、ポリエチレンテレフタレート（ＰＥＴ）などの可撓性を有するフィルム材料からなる。フィルム部材１７２は、左右方向に延びる略矩形状を有している。フィルム部材１７２の上端部は、搬送部１７４の先端部に取り付けられている。
【０１１７】
搬送部材１７１には、図示しないばねの付勢力が付与されている。これにより、搬送ユニット１７０は、中心軸線Ａ２を中心として、常には右側面視反時計回り方向に付勢されている。
４．連通口の位置関係
上記したように、現像右壁６４は連通口７２を有している。連通口７２は、詳しくは、以下のように位置している。
【０１１８】
すなわち、連通口７２は、図３に示すように、第２フレーム６２の第２縦壁８１Ｂの下方に位置している。連通口７２は、側面視において、第２縦壁８１Ｂの下端とわずかに重なっている。連通口７２は、側面視において、搬送部材１７１の中心軸線Ａ２と第２縦壁８１Ｂとの間に位置している。連通口７２は、側面視において、搬送部材１７１の揺動軸１７３の周辺に位置している。詳しくは、連通口７２は、搬送部材１７１の揺動軸１７３の上方に間隔を隔てて位置している。
５．アジテータの動作
図７Ａに示す状態において、搬送部材１７１の掻出部１７６は、第２縦壁８１Ｂの下端に接触している。また、搬送部材１７１の下端は、連続部分７０に近接し、フィルム部材１７２は連続部分７０に接触している。このとき、搬送部材１７１は、第１位置に位置している。この状態において、搬送部材１７１の掻出部１７６および突出壁１８０は、左右方向において、連通口７２と重なっている。
【０１１９】
上記したように、プリンタ１０において画像形成動作が開始すると、現像ローラ５および供給ローラ４のそれぞれは、所定の回転速度で、右側面視時計回り方向に回転する。
【０１２０】
また、アジテータ３は、所定の回転速度で、回転方向Ｒに沿って、右側面視反時計回りに回転する。アジテータ３の回転に伴って、カム１３８も回転方向Ｒに回転する。また、カム１３８の当接面１５０の径方向外方端部が、搬送部材１７１のカム接触部１７５の下面に対して下方から当接する。
【０１２１】
次いで、カム１３８の当接面１５０は、図７Ｂに示すように、アジテータ３の回転に伴って、カム接触部１７５を上方に向かって押圧する。
【０１２２】
これによって、搬送部材１７１が中心軸線Ａ２を中心として、右側面視時計回りに回転し、フィルム部材１７２と連続部分７０との接触が解除される。この状態において、搬送部材１７１の突出壁１８０は、左右方向において、連通口７２と重なっている。
【０１２３】
このとき、撹拌羽根１３４の遊端部は、湾曲部６７の上面と摺擦しており、トナー収容室９１内のトナーを、撹拌するとともに後方に向かって搬送する。また、撹拌羽根１３４は、湾曲部６７の上面との摩擦力により、弾性力に抗して変形される。具体的には、撹拌羽根１３４は、回転方向Ｒの上流に向かって反るように湾曲している。
【０１２４】
次いで、アジテータ３がさらに回転すると、カム１３８の当接面１５０は、カム接触部１７５から離れる。
【０１２５】
そして、カム１３８がさらに回転すると、図８Ａに示すように、カム１３８の摺擦面１５１が、カム接触部１７５と摺擦した後、カム１３８の摺擦面１５１と第１切欠面１５２との接続部分が、カム接触部１７５に到達する。この状態において、搬送部材１７１の突出壁１８０は、左右方向において、連通口７２とは重なっていない。
【０１２６】
このとき、撹拌羽根１３４の遊端部と、湾曲部６７の上面との摺擦が解除される。すると、弾性変形された撹拌羽根１３４が復元し、撹拌羽根１３４は、その弾性力によって、トナー収容室９１内のトナーを、前方から後方へ送り出すように、現像室９０に向けて供給する。
【０１２７】
また、搬送部１７４は、トナー収容室９１から現像室９０へ供給されるトナーが、搬送部１７４よりも上方に流動することを規制し、供給ローラ４に向かうトナーの流動をガイドする。
【０１２８】
次いで、アジテータ３がさらに回転すると、カム１３８の摺擦面１５１が、カム接触部１７５から離れるとともに、撹拌羽根１３４が、搬送部１７４の径方向外方端部に対して下方から、フィルム部材１７２を介して当接する。
【０１２９】
そして、撹拌羽根１３４は、その弾性力により、カム１３８の回転に伴って、搬送部材１７１を、中心軸線Ａ２を中心として右側面視時計回りにさらに回転させる。また、カム接触部１７５とカム１３８とは離間する。
【０１３０】
次いで、アジテータ３がさらに回転すると、図８Ｂに示すように、漸減部分１４２がカム接触部１７５と摺擦する。このとき、搬送部材１７１は、中心軸線Ａ２を中心として右側面視時計回りに最も回転し、第２位置に位置する。搬送部材１７１が第２位置に位置する状態において、搬送部材１７１の突出壁１８０は、左右方向において、連通口７２とは重なっていない。
【０１３１】
そして、カム接触部１７５と接触する漸減部分１４２の部分が、回転方向Ｒの上流に向かうにつれて、搬送部材１７１は、中心軸線Ａ２を中心として右側面視反時計周りに徐々に回転する。
【０１３２】
このとき、掻出部１７６は、搬送部材１７１の揺動に伴って、右側面視反時計回りに回転する。これによって、掻出部１７６は、掻出部１７６の上方に位置する滞留トナーを、現像室９０からトナー収容室９１に向かって掻き出す。
【０１３３】
次いで、アジテータ３がさらに回転すると、カム１３８の漸減部分１４２と、カム接触部１７５とが離間し、それらの摺擦が解除される。これによって、搬送部材１７１は、図７Ａに示すように、再度、第１位置に配置される。
【０１３４】
このように、アジテータ３が回転方向Ｒに沿って右側面視反時計回りに回転すると、搬送部材１７１は、中心軸線Ａ２を中心として、右側面視時計回り、または、右側面視反時計回りに回転する。そして、この揺動状態において、連通口７２は、左右方向において、搬送部材１７１が第１位置と第２位置との間を移動する領域に重なっている。
【０１３５】
搬送部材１７１が、図８Ａおよび図８Ｂに示すように、搬送部材１７１が第１位置から第２位置に向けて大きく移動した状態において、アジテータ３への駆動を停止させ、図９に示すように、現像右壁６４のねじ部材１０５を取り外すと、連通口７２を介して現像カートリッジ１における搬送部材１７１の位置を確認することができる。
【０１３６】
すなわち、図９に示す状態においては、連通口７２を介して、現像カートリッジ１において搬送部材１７１が第１位置に位置していないことを視認することにより確認できる。または、連通口７２に連通口７２の直径よりも小径の棒を挿通し、この棒が円滑に現像カートリッジ１の内部まで挿通されることを確認することにより、搬送部材１７１が第１位置に位置していないことを確認できる。この状態において、トナー充填口７１から内部にトナーを充填すれば、現像カートリッジ１にトナーを十分に充填できる。つまり、搬送部材１７１が第１位置に位置している場合には、トナー収容室９１と現像室９０とが搬送部材１７１により区切られているため、このままトナーを充填するとトナーを十分に充填できないおそれがある。しかし、連通口７２を介して、搬送部材１７１が第１位置に位置していないことを確認した後、トナーを充填すれば、トナー収容室９１と現像室９０とが連通しているため、トナー収容室９１および現像室９０にトナーを十分に充填することができる。
６．作用効果
（１）この現像カートリッジ１によれば、図３に示すように、現像右壁６４は、連通口７２を有している。また、左右方向において、搬送部材１７１が第１位置から第２位置まで移動する領域と連通口７２とが重なっている。
【０１３７】
そのため、連通口７２を介して搬送部材１７１の位置を外部から確認することができる。
【０１３８】
その結果、搬送部材１７１の位置を容易に確認することができる。
【０１３９】
また、連通口７２から筐体２内の空気を抜くことができ、筐体２内にトナーを多く収容できる。
（２）また、この現像カートリッジ１によれば、図７Ａに示すように、搬送部材１７１は、左右方向において、第１位置に位置するときに連通口７２と重なっている。
【０１４０】
そのため、現像カートリッジ１の右方から、連通口７２を介して搬送部材１７１が第１位置に位置しているか否かを確認することができる。
（３）また、この現像カートリッジ１によれば、図３に示すように、現像右壁６４は、連通口７２およびトナー充填口７１を有している。
【０１４１】
そのため、トナー充填口７１から充填されたトナーが現像左壁６３側に貯留されると、筐体２内の空気は現像右壁６４に向かい、連通口７２から抜ける。
【０１４２】
その結果、トナーを充填するときに、筐体２内に充填されたトナーが空気とともに連通口から洩れることを抑制できる。
（４）また、この現像カートリッジ１によれば、図９に示すように、連通口７２は、ねじ部材１０５が挿入可能に構成されており、ねじ部材１０５が挿入されることにより閉鎖されるように構成されている。
【０１４３】
そのため、ねじ部材１０５を連通口７２に挿入しない状態において、連通口７２を介して現像カートリッジ１の内部を確認することができる。その後、ねじ部材１０５を連通口７２に挿入することで、連通口７２を確実に閉鎖できる。
（５）また、この現像カートリッジ１によれば、図６に示すように、現像右壁６４の右方に位置し、供給ローラ４に接続される電極部材９５を備えている。ねじ部材１０５は、電極部材９５を現像右壁６４に固定するように構成されている。
【０１４４】
そのため、ねじ部材１０５によって電極部材９５を現像右壁６４に固定できる。
【０１４５】
その結果、部品点数を減らして、現像カートリッジ１の小型化を実現できる。
（６）この現像カートリッジ１によれば、図３に示すように、第２フレーム６２は、第２縦壁８１Ｂを備えている。
【０１４６】
そのため、第２縦壁８１Ｂにより、搬送部材１７１を第１位置に確実に位置させることができる。
【０１４７】
また、第２縦壁８１Ｂは、左右方向において、連通口７２と重なっている。
【０１４８】
そのため、連通口７２を介して第２縦壁８１Ｂを外部から確認することができる。
【０１４９】
その結果、第１フレーム６１に対して第２フレーム６２が適切に装着されていることを容易に確認できる。
（７）この現像カートリッジ１によれば、図３に示すように、連通口７２は、第２縦壁８１Ｂの下端と搬送部材１７１の中心軸線Ａ２との間に位置している。
【０１５０】
そのため、連通口７２を搬送部材１７１の中心軸線Ａ２の周辺に位置させることができる。
【０１５１】
その結果、連通口７２を介して搬送部材１７１の位置を一層容易に確認することができる。
７．変形例
上記第実施形態では、現像右壁６４において、１個の連通口７２が第２縦壁８１Ｂの下方に位置している。
【０１５２】
しかし、連通口７２は、左右方向において、搬送部材１７１が第１位置から第２位置まで移動する領域と重なればよく、また、連通口７２の数は１個に限られない。例えば、２個以上の連通口７２が、左右方向において、搬送部材１７１の第１位置から第２位置までの移動領域と重なっていてもよい。
【０１５３】
このような構成によれば、現像カートリッジ１の外部から搬送部材１７１の状態を一層容易に確認できる。
【０１５４】
また、上記実施形態では、アジテータ３が撹拌部材の一例として記載したが、撹拌部材としては、アジテータ３に代えて、例えば、オーガスクリューやパドルなどを適用することもできる。
【０１５５】
また、上記の実施形態では、現像ローラ５がローラ部材の一例として記載したが、ローラ部材としては、現像ローラ５に代えて、例えば、現像スリーブ、ブラシ状のローラなどを適用することもできる。
【０１５６】
また、上記の実施形態では、ねじ部材１０５を挿入部材の一例とし、ねじ部材１０５を挿通口７２に挿入するとしたが、ねじ部材１０５に代えて、例えば、ピンを連通口７２に挿入してもよく、また、爪状の係合部をスナップフィットにより挿通口７２に挿入してもよい。
【符号の説明】
【０１５７】
１      現像カートリッジ
２      筐体
３      アジテータ
５      現像ローラ
６１    第１フレーム
６２    第２フレーム
６３    現像左壁
６４    現像右壁
７１    トナー充填口
７２    連通口
８１Ｂ  第２縦壁
９５    電極部材
１０５  ねじ部材
１７１  搬送部材
【図１】
2015087666.tif 000003
【図２】
2015087666.tif 000004
【図３】
2015087666.tif 000005
【図４】
2015087666.tif 000006
【図５】
2015087666.tif 000007
【図６】
2015087666.tif 000008
【図７】
2015087666.tif 000009
【図８】
2015087666.tif 000010
【図９】
2015087666.tif 000011